(57)【特許請求の範囲】
【請求項１】
音声情報、映像情報およびデジタルコードデータのうち少なくとも一つの情報を入力する情報入力手段と、
前記情報入力手段により入力された情報を処理して所定のフォーマットに従った、複数のドットからなるコードイメージに変換するコードイメージ変換手段と、
所定の長さにわたって１次元に配列された複数の記録素子を有する熱記録ヘッドとプラテンとの間に、記録面を前記熱記録ヘッド側に向けて記録媒体を介在させ、前記記録ヘッドを少なくとも複数の記録素子の配列方向と直交する方向に移動させながら加熱することにより、前記コードイメージ変換手段より変換されたコードイメージを、前記記録媒体の記録面に光学的に読み取り可能に記録するようにした記録手段と、
を具備するコードイメージ記録装置において使用される前記記録媒体であって、
前記記録媒体は、前記複数の記録素子の配列方向においてコードイメージ記録領域に隣接する少なくとも何れか一方の側のコードイメージ非記録領域に、前記プラテンとの間のスリップを防止するためのスリップ防止用ドットを連続的に具備することを特徴とするコードイメージを有する記録媒体。
【請求項２】
前記スリップ防止用ドットは、前記熱記録ヘッドにより前記コードイメージと同時に記録されるものであって、同時に記録される前記コードイメージ中のドットの数に応じて設けられたものであることを特徴とする請求項１に記載のコードイメージを有する記録媒体。
【請求項３】
前記コードイメージは、前記熱記録ヘッドにより同時に記録されるドット数を多く含んだドット過密部と、前記熱記録ヘッドにより同時に記録されるドット数を少なく含んだドット過疎部とが前記熱記録ヘッドの移動方向に連続して設けられた領域を具備しており、
前記スリップ防止用ドットは前記熱記録ヘッドにより前記コードイメージと同時に記録されるものであって、前記ドット過密部対応領域を避けるようにして設けられたものであることを特徴とする請求項１に記載のコードイメージを有する記録媒体。
【請求項４】
前記コードイメージは、前記熱記録ヘッドにより同時に記録されるドット数を多く含んだドット過密部と、前記熱記録ヘッドにより同時に記録されるドット数を少なく含んだドット過疎部とが前記熱記録ヘッドの移動方向に連続して設けられた領域を具備しており、
前記スリップ防止用ドットは、前記熱記録ヘッドにより前記コードイメージと同時に記録されるものであって、前記ドット過疎部対応領域に集中的に設けられたものであることを特徴とする請求項１に記載のコードイメージを有する記録媒体。
【請求項５】
音声情報、映像情報およびデジタルコードデータのうち少なくとも一つの情報を入力する情報入力手段と、
前記情報入力手段により入力された情報を処理して所定のフォーマットに従った、複数のドットからなるコードイメージに変換するコードイメージ変換手段と、
所定の長さにわたって１次元に配列された複数の記録素子を有する熱記録ヘッドとプラテンローラとの間に、その長手方向が前記複数の記録素子の配列方向と直交するように、記録面を前記熱記録ヘッド側に向けてテープ状記録媒体を介在させ、このテープ状記録媒体をその長手方向に沿って順次繰り出しつつ前記熱記録ヘッドを加熱することにより、前記コードイメージ変換手段により変換されたコードイメージを、前記テープ状記録媒体の記録面に光学的に読み取り可能に記録するようにした記録手段と、
を具備するコードイメージ記録装置において使用される前記テープ記録媒体であって、
前記テープ記録媒体は、前記複数の記録素子の配列方向においてコードイメージ記録領域に隣接する少なくとも何れか一方の側のコードイメージ非記録領域に、前記プラテンローラとの間のスリップを防止するためのスリップ防止用ドットを連続的に具備することを特徴とするコードイメージを有する記録媒体。
【請求項６】
前記スリップ防止用ドットは、前記熱記録ヘッドにより前記コードイメージと同時に記録されるものであって、同時に記録される前記コードイメージ中のドットの数に応じて設けられたものであることを特徴とする請求項５に記載のコードイメージを有する記録媒体。
【請求項７】
前記コードイメージは、前記熱記録ヘッドにより同時に記録されるドット数を多く含んだドット過密部と、前記熱記録ヘッドにより同時に記録されるドット数を少なく含んだ過疎部とが前記長手方向に連続して設けられた領域を具備しており、
前記スリップ防止用ドットは、前記熱記録ヘッドにより前記コードイメージと同時に記録されるものであって、前記ドット過密部対応領域を避けるようにして設けられたものであることを特徴とする請求項５に記載のコードイメージを有する記録媒体。
【請求項８】
前記コードイメージは、前記熱記録ヘッドにより同時に記録されるドット数を多く含んだドット過密部と、前記熱記録ヘッドにより同時に記録されるドット数を少なく含んだ過疎部とが前記長手方向に連続して設けられた領域を具備しており、
前記スリップ防止用ドットは、前記熱記録ヘッドにより前記コードイメージと同時に記録されるものであって、前記ドット過疎部対応領域に集中的に設けられたものであることを特徴とする請求項５に記載のコードイメージを有する記録媒体。
【請求項９】
１次元に配列された複数の記録素子を有する熱記録ヘッドとプラテンローラとの間にインクリボンおよび記録媒体を介装し、前記記録素子の選択的な発熱によりインクリボンのインクを記録媒体に転写してドットコードを記録媒体上に記録してコードイメージを形成するコードイメージ記録方法であって、
前記記録媒体上のドットコード非形成領域にスリップ防止用ドットを前記ドットコードと同時に記録することを特徴とするコードイメージ記録方法。
【請求項１０】
前記ドットコードの形成方向と直交する幅方向の１対の前記マーカ間に形成された所定のドットパターンを記録するときには前記スリップ防止用ドットの記録を行わないことを特徴とする請求項９に記載のコードイメージ記録方法。
【請求項１１】
同時に記録を行うマーカ間に記録のない空白部が形成されるときにスリップ防止用ドットを連続するように記録することを特徴とする請求項９または請求項１０に記載のコードイメージ記録方法。
【請求項１２】
音声情報、映像情報およびデジタルコードデータのうち少なくとも一つの情報を入力する情報入力手段と、
前記情報入力手段により入力された情報を処理して所定のフォーマットに従った、複数のドットからなるコードイメージに変換するコードイメージ変換手段と、
所定の長さにわたって１次元に配列された複数の記録素子を有する熱記録ヘッドとプラテンとの間に、記録面を前記熱記録ヘッド側に向けて記録媒体を介在させ、前記記録ヘッドを少なくとも複数の前記素子の配列方向と直交する方向に移動させながら加熱することにより、前記コードイメージ変換手段により変換されたコードイメージを、前記記録媒体の記録面に光学的に読み取り可能に記録するようにした記録手段と、
を具備するコードイメージ記録方法であって、
前記熱記録ヘッドは、前記記録面の、複数の記録素子の配列方向においてコードイメージ記録領域に隣接する少なくとも何れか一方の側のコードイメージ非記録領域に、前記プラテンとの間のスリップを防止するためのスリップ防止用ドットを前記コードイメージの記録と同時に記録することを特徴とするコードイメージ記録方法。
【請求項１３】
前記記録ヘッドは、同時に記録する前記コードイメージ中のドットの数に応じて前記スリップ防止用ドットを記録することを特徴とする請求項１２のコードイメージ記録方法。
【請求項１４】
前記コードイメージは、前記熱記録ヘッドにより同時に記録されるドット数を多く含んだドット過密部と、前記熱記録ヘッドにより同時に記録されるドット数を少なく含んだドット過疎部とが前記熱記録ヘッドの移動方向に連続して設けられた領域を具備しており、
前記熱記録ヘッドは、前記ドット過密部対応領域を避けるようにして前記スリップ防止用ドットを記録することを特徴とする請求項１２に記載のコードイメージ記録方法。
【請求項１５】
前記コードイメージは、前記熱記録ヘッドにより同時に記録されるドット数を多く含んだドット過密部と、前記熱記録ヘッドにより同時に記録されるドット数を少なく含んだドット過疎部とが前記熱記録ヘッドの移動方向に連続して設けられた領域を具備しており、
前記熱記録ヘッドは、前記ドット過疎部対応領域に前記スリップ防止用ドットを集中的に記録することを特徴とする請求項１２に記載のコードイメージ記録方法。
【請求項１６】
音声情報、映像情報およびデジタルコードデータのうち少なくとも一つの情報を入力する情報入力工程と、
前記情報入力工程において入力された情報を処理して所定のフォーマットに従った、複数のドットからなるコードイメージに変換するコードイメージ変換工程と、
所定の長さにわたって１次元に配列された複数の記録素子を有する熱記録ヘッドとプラテンローラとの間に、その長手方向が前記複数の記録素子の配列方向と直交するように、記録面を前記熱記録ヘッド側に向けてテープ状記録媒体を介在させ、テープ状記録媒体をその長手方向に沿って順次繰り出しつつ前記熱記録ヘッドを加熱することにより、前記コードイメージ変換工程で変換されたコードイメージを、前記テープ状記録媒体の記録面に光学的に読み取り可能に印刷するようにした記録工程と、
を具備するコードイメージ記録方法であって、
前記熱記録ヘッドは、前記記録面の複数の記録素子の配列方向においてコードイメージ記録領域に隣接する少なくとも何れか一方の側のコードイメージ非記録領域に、前記プラテンローラとの間のスリップを防止するためのスリップ防止用ドットを前記コードイメージの記録と同時に記録することを特徴とするコードイメージ記録方法。
【請求項１７】
前記熱記録ヘッドは、同時に記録する前記コードイメージ中のドットの数に応じて前記スリップ防止用ドットを記録することを特徴とする請求項１６に記載のコードイメージ記録方法。
【請求項１８】
前記コードイメージは、前記熱記録ヘッドにより同時に記録されるドット数を多く含んだドット過密部と、前記熱記録ヘッドにより同時に記録されるドット数を少なく含んだドット過疎部とが前記長手方向に連続して設けられた領域を具備しており、
前記熱記録ヘッドは、前記ドット過密部対応領域を避けるようにして前記スリップ防止用ドットを記録することを特徴とする請求項１６に記載のコードイメージ記録方法。
【請求項１９】
前記コードイメージは、前記熱記録ヘッドにより同時に記録されるドット数を多く含んだドット過密部と、前記熱記録ヘッドにより同時に記録されるドット数を少なく含んだドット過疎部とが前記長手方向に連続して設けられた領域を具備しており、
前記熱記録ヘッドは、前記ドット過疎部対応領域に前記スリップ防止用ドットを集中的に記録することを特徴とする請求項１６に記載のコードイメージ記録方法。
【発明の詳細な説明】
【０００１】
【発明の属する技術分野】
本発明は、記録媒体に記録され入力されたデータを変換して得られる光学的に読み取り可能なコードイメージ、およびこのコードイメージを記録媒体に記録するコードイメージ記録方法に係り、特に、安定した読み取りが行われるコードイメージと、このようなコードイメージの記録を行うのに好適なコードイメージ記録方法に関する。
【０００２】
【従来の技術】
入力されたデータを、複数のドットの集合体であるドットコードからなるコードイメージとして、記録媒体上に光学的に読み取り可能に記録するコードイメージ記録装置が知られている。
【０００３】
このコードイメージ記録装置は、基本的に、音声情報、映像情報あるいはデジタルコードデータといった情報を入力する情報入力手投と、この情報入力手段により入力された情報を処理して所定のフォーマットに従ったコードイメージに変換するコードイメージ変換手段と、このコードイメージ変換手段によりコードイメージに変換された情報をテープ状記録媒体に記録する熱記録ヘッドを備えた記録手段とにより構成されている。そして、この記録手段は、所定の長さにわたって１次元に配設された複数の記録素子を有する前記熱記録ヘッドとプラテンローラとの間に、インクリボン、および、その長手方向が前記複数の記録素子の配列方向と直交するように、記録面を前記熱記録ヘッド側に向けてテープ状記録媒体を介在させ、このテープ状記録媒体をその長手方向に沿って順次繰り出しつつ前記熱記録ヘッドの記録素子を選択的に加熱することによりインクリボンのインクを部分的にテープ状記録媒体の記録面に転写することにより、前記コードイメージ変換手投により変換されたコードイメージをテープ状記録媒体の記録面に光学的に読み取り可能に記録するようになっている。
【０００４】
そして、作成されたコードイメージをイメージリーダによりスキャンすると、このイメージリーダがコードイメージを光学的に読み取って、情報を再生することになる。
【０００５】
ところで、前述したコードイメージ記録装置により記録される従来のコードイメージの物理フォーマットが、図５に示されている。
【０００６】
すなわち、前記コードイメージは、特開平６−２３１４６６号公報に示されているように、複数個の正方形状のブロック１１が２次元的（図５においては記録方向８列、その直交方向４列）に隣接配列されてドットコード１０を構成している。そして、前記各ブロック１１内には、例えば音声情報のうちそのブロック１１に割り振られた「０」値および「１」値の集合からなる情報が、「０」値を空白により表すとともに、「１」値をドット１２，１２…により表すようにしてデータドットパターン１３として記録されている。また、各ブロック１１の４隅には、存在するデータドットパターン１３と、このデータドットパターン１３を構成する各ドット１２を検出するための基準点を見つけるために使用されるドットの集合体（図５においては記録方向において３・５・５・５・３の合計２１ドット）からなるマーカ１４が配置されている。さらに、図５に矢印で示すドットコード１０の記録方向と平行となる前記ブロック１１の１対のマーカ１４，１４間には、前記イメージリーダのスキャンによる読み取り時に複数の異なるブロック１１を識別できるようにするためエラー検出またはエラー訂正符号を含むブロックアドレスパターン１５が形成されている。一方、ドットコード１０の記録方向と直交する前記ブロック１１の１対のマーカ１４，１４間には、複数のドット１２が等間隔をおいて配列されているマッチングドットパターン１６が形成されている。このマッチングドットパターン１６は、前記マーカ１４とともにデータドットパータン１３内の各ドット１２を読み取るための読み取り基準点を算出するのに使用されるものである。
【０００７】
そして、このような物理フォーマット構成からなるドットコード１０は、イメージリーダが有している受光センサであるＣＣＤなどの固体撮像素子の受光面におけるその大きさが当該受光面の大きさより大きく、このドットコード１０をその固体撮像素子によりワンショットにて撮像することができなくても、前記ブロック１１に付与された各アドレスをブロックアドレスパターン１５から読み取って認識さえできれば、そのアドレスによって各ブロック１１のデータから元のデータを再構築することが可能となるので、結果的に、従来より知られているバーコードによっては実現し得なかった多量のデータを記録媒体に保持させることが可能となり、紙などを媒体としたマルチメディア情報の伝達が手軽にできて、従来では考えられなかった様々な用途に期待が広がっている。
【０００８】
ところで、このようなドットコード１０を記録するためのコードイメージ記録装置にあっては、テープ状記録媒体の紙面に多量のデータを、１つのドット１２の大きさが６０〜１００μｍぐらいで解像度が約４００〜８００ｄｐｉ  という高密度で印刷により記録する必要があるため、極めて高度な印刷技術が要求されることになる。
【０００９】
すなわち、例えば、テープ状記録媒体はその送りにむらが生じないように常に正確に一定の速さで搬送されなければならないし、また、熱記録ヘッドとテープ状記録媒体とは常に安定した一定の力で接触していなければならない。
【００１０】
【発明が解決しようとする課題】
ところで、前述したコードイメージをなすドットコード１０の記録方向と直交するブロック１１の各１対のマーカ１４，１４間には、図示しない熱記録ヘッドの記録素子の整列方向に一致する前記マッチングドットパターン１６が形成されており、各マッチングドットパターン１６は図５においては６個のドット１２により構成されているが、実際には、１２個のドット１２により構成されている。したがって、ドットコード１０を記録する熱記録ヘッドの記録素子は、このマッチングドットパターン１６の記録を行うときには、５個の各マーカ１４についての５個のドット１２と、４つのドットパターン１６における各１２個のドット１２ということで、合計５×５＋１２×４＝７３ドットの記録素子が駆動されることになる。
【００１１】
これに対し、記録方向においてマッチングドットパターン１６の前後においては、それぞれ５個のマーカ１４の一部を形成するための合計５×５＝２５ドットの記録素子のみが駆動されるにすぎない。
【００１２】
したがって、マッチングドットパターン１６の前列の記録においては２５ドットの記録素子のみが駆動されるのに対し、つぎのマッチングドットパターン１６の記録時には７３ドットの記録素子が駆動されることになり、４８ドット分だけ多くの記録素子が駆動されることになる。よって、マッチングドットパターン１６の記録時に熱記録ヘッドの全体が急に発熱することになる。
【００１３】
一方、前述したコードイメージ記録装置の記録手段においては、プラテンローラに記録媒体およびインクリボンを介して熱記録ヘッドが圧接されており、プラテンローラを回転することにより記録媒体およびインクリボンが搬送されるようになっている。
【００１４】
ここで、前記ドットコード１０のブロック１１のマッチングドットパターン１６の前列が記録された後にマッチングドットパターン１６が記録されると、前述したように駆動される記録素子のドット数が急増することになる。すると、このマッチングドットパターン１６の記録時にはインクリボンのインクが広い範囲で溶融することになり、インクリボンと記録媒体との摩擦係数が大きく変化することになる。したがって、記録媒体とインクリボンとの間においてスリップが生じ、プラテンローラの回転に従動していた記録媒体が前回の搬送時と較べて多くの量搬送されてしまうことになる。また、記録媒体からインクリボンが剥離されるときのタイミングについてみると、記録素子の駆動ドット数の少ないところでは記録媒体に転写されるインクリボンのインクの面積が小さいので、記録媒体からインクリボンは容易に剥離されるのに対して、記録素子の駆動ドット数の多いところでは記録媒体に転写されるインクリボンのインクの面積が大きく、記録媒体からインクリボンが容易に剥離されないことになる。そして、記録媒体からインクリボンが容易に剥離されないと、記録媒体からインクリボンの剥離に大きな力が必要となり、この剥離の時点で記録媒体の搬送が遅れることになる。
【００１５】
したがって、熱記録ヘッドの記録素子の駆動ドット数が急増すると、まず、記録媒体の搬送量が多すぎるために、つぎのドット１２の位置が大きく離間してしてしまうし、また、そのつぎの列の記録においては、記録媒体の搬送量が小さくなるので、つぎのドット１２の位置が前の列のドット１２と重複してしまうことになっていた。
【００１６】
この結果、熱記録ヘッドの記録素子の駆動ドット数が急増する記録部位においては、記録されるドット１２の位置が正規の位置からずれてしまうことになり、イメージリーダが読み取ったデータドットパターン１３が再現すべき情報と異なってしまい、情報を正確に再現できないおそれがあった。
【００１７】
本発明は、前述した点に鑑み、入力された情報を正確に記録して情報を正確に再現できる安定した読み取りが行われるように形成されているコードイメージを有する記録媒体と、このようなコードイメージの記録を行うのに好適なコードイメージ記録方法を提供することを目的としている。
【００１８】
【課題を解決するための手投】
前述した目的を達成するため請求項１に係る本発明のコードイメージを有する記録媒体の特徴は、複数の記録素子の配列方向においてコードイメージ記録領域に隣接する少なくとも何れか一方の側のコードイメージ非記録領域に、プラテンとの間のスリップを防止するためのスリップ防止用ドットを連続的に具備することにある。そして、このような構成を採用したことにより、スリップ防止用ドットを記録する記録素子が駆動される結果、記録素子の駆動ドット数の急増が回避され、記録媒体の搬送量を常に均一にすることができ、よって、記録媒体上へのドットは情報を正確に再現できるように正規の位置に記録される。
【００１９】
請求項２に係る本発明のコードイメージを有する記録媒体の特徴は、スリップ防止用ドットが、同時に記録される記録媒体のコードイメージ中のドットの数に応じて設けられた点にある。そして、このような構成を採用したことにより、記録素子の駆動ドット数の急増を回避するようにスリップ防止用ドットを記録することができる。
【００２０】
請求項３に係る本発明のコードイメージを有する記録媒体の特徴は、記録媒体におけるコードイメージが、熱記録ヘッドにより同時に記録されるドット数を多く含んだドット過密部と、前記熱記録ヘッドにより同時に記録されるドット数を少なく含んだドット過疎部とが前記熱記録ヘッドの移動方向に連続して設けられた領域を具備しており、スリップ防止用ドットは熱記録ヘッドによりコードイメージと同時に記録されるものであって、前記ドット過密部対応領域を避けるようにして設けられた点にある。そして、このような構成を採用したことにより、スリップ防止用ドットを必要としない記録媒体上の部位にスリップ防止用ドットを記録しないようにして、記録素子の過熱を防止することができる。
【００２１】
請求項４に係る本発明のコードイメージを有する記録媒体の特徴は、記録媒体におけるコードイメージが、熱記録ヘッドにより同時に記録されるドット数を多く含んだドット過密部と、前記熱記録ヘッドにより同時に記録されるドット数を少なく含んだドット過疎部とが前記熱記録ヘッドの移動方向に連続して設けられた領域を具備しており、スリップ防止用ドットが、前記熱記録ヘッドにより前記コードイメージと同時に記録媒体に記録されるものであって、前記ドット過疎部対応領域に集中的に設けられた点にある。そして、このような構成を採用したことにより、スリップ防止用ドットを必要とする記録媒体上の部位にのみスリップ防止用ドットを記録することができる。
【００２２】
請求項５に係る本発明のコードイメージを有する記録媒体の特徴は、テープ記録媒体が、複数の記録素子の配列方向においてコードイメージ記録領域に隣接する少なくとも何れか一方の側のコードイメージ非記録領域に、プラテンローラとの間のスリップを防止するためのスリップ防止用ドットを連続的に具備する点にある。そして、このような構成を採用したことにより、スリップ防止用ドットを記録する記録素子が駆動される結果、記録素子の駆動ドット数の急増が回避され、記録媒体の搬送量を常に均一にすることができ、よって、テープ状記録媒体上へのドットは情報を正確に再現できるように正規の位置に記録される。
【００２３】
請求項６に係る本発明のコードイメージを有する記録媒体の特徴は、スリップ防止用ドットが、同時に記録されるテープ状記録媒体のコードイメージ中のドットの数に応じて設けられた点にある。そして、このような構成を採用したことにより、記録素子の駆動ドット数の急増を回避するようにスリップ防止用ドットを記録することができる。
【００２４】
請求項７に係る本発明のコードイメージを有する記録媒体の特徴は、テープ状記録媒体におけるコードイメージが、熱記録ヘッドにより同時に記録されるドット数を多く含んだドット過密部と、前記熱記録ヘッドにより同時に記録されるドット数を少なく含んだ過疎部とが前記長手方向に連続して設けられた領域を具備しており、スリップ防止用ドットが、熱記録ヘッドにより前記コードイメージと同時にテープ状記録媒体に記録されるものであって、前記ドット過密部対応領域を避けるようにして設けられた点にある。そして、このような構成を採用したことにより、スリップ防止用ドットを必要としないテープ状記録媒体の部位にスリップ防止用ドットを記録しないようにして、記録素子の過熱を防止することができる。
【００２５】
請求項８に係る本発明のコードイメージを有する記録媒体の特徴は、テープ状記録媒体におけるコードイメージが、熱記録ヘッドにより同時に記録されるドット数を多く含んだドット過密部と、前記熱記録ヘッドにより同時に記録されるドット数を少なく含んだ過疎部とが前記長手方向に連続して設けられた領域を具備しており、スリップ防止用ドットが、前記熱記録ヘッドにより前記コードイメージと同時にテープ状記録媒体に記録されるものであって、前記ドット過疎部対応領域に集中的に設けられた点にある。そして、このような構成を採用したことにより、スリップ防止用ドットを必要とするテープ状記録媒体上の部位にのみスリップ防止用ドットを記録することができる。
【００２６】
請求項９に係る本発明のコードイメージ記録方法の特徴は、記録媒体上のドットコード非形成領域にスリップ防止用ドットを前記ドットコードと同時に記録する点にある。そして、このような構成を採用したことにより、記録素子の駆動ドット数の急増が回避され、記録媒体の搬送量を常に均一にすることができる。
【００２７】
請求項１０に係る本発明のコードイメージ記録方法の特徴は、ドットコードの形成方向と直交する幅方向の１対の前記マーカ間に形成された所定のドットパターンを記録するときには前記スリップ防止用ドットの記録を行わない点にある。そして、このような構成を採用したことにより、記録素子の駆動ドット数の多いドットパターンの記録時には記録素子の過熱を防止することができる。
【００２８】
請求項１１に係る本発明のコードイメージ記録方法の特徴は、同時に記録を行うマーカ間に記録のない空白部が形成されるときにスリップ防止用ドットを連続するように記録媒体に記録する点にある。そして、このような構成を採用したことにより、次位の記録時に記録素子の駆動ドット数の急増を確実に防止することができる。
【００２９】
請求項１２に係る本発明のコードイメージ記録方法の特徴は、熱記録ヘッドが、記録媒体の記録面の、複数の記録素子の配列方向においてコードイメージ記録領域に隣接する少なくとも何れか一方の側のコードイメージ非記録領域に、プラテンとの間のスリップを防止するためのスリップ防止用ドットを前記コードイメージの記録と同時に記録媒体に記録する点にある。そして、このような構成を採用したことにより、スリップ防止用ドットを記録する記録素子が駆動される結果、記録素子の駆動ドット数の急増が回避され、記録媒体の搬送量を常に均一にすることができ、よって、記録媒体上へのドットは情報を正確に再現できるように正規の位置に記録される。
【００３０】
請求項１３に係る本発明のコードイメージ記録方法の特徴は、記録ヘッドが、同時に記録するコードイメージ中のドットの数に応じてスリップ防止用ドットを記録媒体に記録する点にある。そして、このような構成を採用したことにより、記録素子の駆動ドット数の急増を回避するようにスリップ防止用ドットを記録することができる。
【００３１】
請求項１４に係る本発明のコードイメージ記録方法の特徴は、コードイメージが、熱記録ヘッドにより同時に記録されるドット数を多く含んだドット過密部と、前記熱記録ヘッドにより同時に記録されるドット数を少なく含んだドット過疎部とが前記熱記録ヘッドの移動方向に連続して設けられた領域を具備しており、前記熱記録ヘッドが、前記ドット過密部対応領域を避けるようにしてスリップ防止用ドットを記録媒体に記録する点にある。そして、このような構成を採用したことにより、スリップ防止用ドットを必要としない記録媒体上の部位にスリップ防止用ドットを記録しないようにして、記録素子の過熱を防止することができる。
【００３２】
請求項１５に係る本発明のコードイメージ記録方法の特徴は、コードイメージが、熱記録ヘッドにより同時に記録されるドット数を多く含んだドット過密部と、熱記録ヘッドにより同時に記録されるドット数を少なく含んだドット過疎部とが前記熱記録ヘッドの移動方向に連続して設けられた領域を具備しており、前記熱記録ヘッドが、記録媒体のドット過疎部対応領域に前記スリップ防止用ドットを集中的に記録する点にある。そして、このような構成を採用したことにより、スリップ防止用ドットを必要とするテープ状記録媒体上の部位にのみスリップ防止用ドットを記録することができる。
【００３３】
請求項１６に係る本発明のコードイメージ記録方法の特徴は、熱記録ヘッドは、テープ状記録媒体の記録面の複数の記録素子の配列方向においてコードイメージ記録領域に隣接する少なくとも何れか一方の側のコードイメージ非記録領域に、プラテンローラとの間のスリップを防止するためのスリップ防止用ドットを前記コードイメージの記録と同時に記録媒体に記録する点にある。そして、このような構成を採用したことにより、スリップ防止用ドットを記録する記録素子が駆動される結果、記録素子の駆動ドット数の急増が回避され、テープ状記録媒体の搬送量を常に均一にすることができ、よって、テープ状記録媒体上へのドットは情報を正確に再現できるように正規の位置に記録される。
【００３４】
請求項１７に係る本発明のコードイメージ記録方法の特徴は、熱記録ヘッドが、同時に記録する前記コードイメージ中のドットの数に応じて前記スリップ防止用ドットをテープ状記録媒体に記録する点にある。そして、このような構成を採用したことにより、記録素子の駆動ドット数の急増を回避するようにスリップ防止用ドットを記録することができる。
【００３５】
請求項１８に係る本発明のコードイメージ記録方法の特徴は、テープ状記録媒体におけるコードイメージが、熱記録ヘッドにより同時に記録されるドット数を多く含んだドット過密部と、前記熱記録ヘッドにより同時に記録されるドット数を少なく含んだドット過疎部とが前記長手方向に連続して設けられた領域を具備しており、前記熱記録ヘッドが、前記ドット過密部対応領域を避けるようにして前記スリップ防止用ドットをテープ状記録媒体に記録する点にある。そして、このような構成を採用したことにより、スリップ防止用ドットを必要としない記録媒体上の部位にスリップ防止用ドットを記録しないようにして、記録素子の過熱を防止することができる。
【００３６】
請求項１９に係る本発明のコードイメージ記録方法の特徴は、テープ状記録媒体におけるコードイメージが、熱記録ヘッドにより同時に記録されるドット数を多く含んだドット過密部と、前記熱記録ヘッドにより同時に記録されるドット数を少なく含んだドット過疎部とが前記長手方向に連続して設けられた領域を具備しており、前記熱記録ヘッドが、テープ状記録媒体のドット過疎部対応領域に前記スリップ防止用ドットを集中的に記録する点にある。そして、このような構成を採用したことにより、スリップ防止用ドットを必要とするテープ状記録媒体上の部位にのみスリップ防止用ドットを記録することができる。
【００３７】
【発明の実施の形態】
図３は、本発明の記録媒体にコードイメージを記録するのに用いられるコードイメージ記録装置の外観を示す斜視図であり、図３において、コードイメージ記録装置２０は、情報の一種としての音声を入力するためのマイク２１と、入力された音声の確認再生用のスピーカ２２と、テープ状記録媒体としてのラベル５０を内部に収容したカートリッジ４０を装着するための装着ロ２３と、前記ラベル５０にドットコード１０を記録するための熱記録ヘッド２４と、この熱記録ヘッド２４を前記ラベル５０の記録面に押し付けるための回動レバー２５と、各種の繰作スイッチとが配設されている。なお、前記コードイメージ記録装置２０内には、前記マイク２１により入力された音声情報を処理して所定のフォーマットに従ったコードイメージに変換するコードイメージ変換手段（図示せず）と、このコードイメージ変換手段その他の各構成部材を制御するＣＰＵのような制御部（図示せず）とが設けられており、この制御部が、コードイメージ変換手段により所定のフォーマットに変換された記録データとしての音声情報に対応するように前記熱記録ヘッド２４などを駆動し、ドットコード１０を後述するラベル５０に記録するようになっている。
【００３８】
また、前記マイク２１からの音声入力の開始を指示するための「ＲＥＣ」ボタン２６と、前記スピーカ２２からの音声再生の開始を指示するための「ＰＬＡＹ」ボタン２７と、前記熱記録ヘッド２４によるドットコード１０のパターンの記録開始を指示するための「ＰＲＩＮＴ」ボタン２８と、各動作の停止を指示するための「ＳＴＯＰ」ボタン２９と、予め設定された音声入力総量とマイク２１からの入力済みの音声とから求まる入力残量やスピーカ２２による再生経過を表示するための例えば５個のＬＥＤからなる入力残量再生経過表示インディケータ３０とが配設されている。
【００３９】
さらに、前記ラベル５０へのドットコード１０の記録形態を指示するためのロング／ショート切り換えスイッチ３１が配設されている。ここにおけるロング／ショートとは、１つのドットコード１０を余白領域を間に設けて複数に分割してラベル５０に記録する際の、各分割部分の長さのことであり、例えば、ロングであれば、Ａ４縦長用紙上に横方向にラベル５０を貼付できるような長さ、ショートであれば、横置き（または縦置き）したはがき上に横方向にラベル５０を貼付できるような長さとする。
【００４０】
さらにまた、前記スピーカ２２による再生音声の音量を設定するための再生ボリューム３２と、前記ドットコード１０が記録されたラベル５０を切断するための図示しない内蔵カッタを操作するための操作レバー３３が配設されている。
【００４１】
図４は、図３のコードイメージ記録装置に使用されるラベル５０を内蔵するカートリッジ４０の断面図である。
【００４２】
図４において、カートリッジ本体４０内には、前記ラベル５０がリール４１に巻き取られ保持されており、また、前記ラベル５０にコードイメージたるドットコード１０を記録するためのインクリボン４２が供給リール４３からガイドポスト４４とプラテンローラ４５の外周に巻回されるようにして巻取りリール４６に接続されている。一方、前記ラベル５０は、各ガイドポスト４７，４４および前記プラテンローラ４５の外周に巻回されるようにしてカートリッジ本体４０に設けられたラベル排出口４８よりカートリッジ本体４０の外部に引き出される。
【００４３】
前記熱記録ヘッド２４には多数の記録素子２４Ａが整列配置されており、各記録素子２４Ａは、コードイメージ記録装置２０に内蔵された前記制御部（図示せず）により、入力された音声情報に対応するように駆動されて発熱の制御がなされるようになっており、各記録素子２４Ａの選択的な発熱によりインクリボン４２のインクが部分的に溶融してラベル５０に転写されることによりドットコード１０が記録され、このラベル５０はプラテンローラ４５の回転により図４において矢印方向に搬送されることになる。
【００４４】
つぎに、前述した構成からなる本実施の形態の作用について説明する。
【００４５】
まず、コードイメージ記録装置の「ＲＥＣ」ボタン２６を押して音声入力可能な状態にしておき、マイク２１から音声を入力する。すると、この音声はコードイメージ記録装置のメモリ（図示せず）に記憶されるので、ついで、「ＰＬＡＹ」ボタン２７を押してメモリに記憶されている音声情報をスピーカ４２から再生し、情報内容を確認する。そして、この情報内容が正確であれば、必要に応じてロング／ショート切り換えスイッチ３１を操作して、１つのドットコード１０を余白領域を間に設けて複数に分割してラベル５０に記録する際の各分割部分の長さを選択したうえで、「ＰＲＩＮＴ」ボタン２８を押してラベル５０上への音声情報の記録する旨の指示を出す。
【００４６】
すると、熱記録ヘッド２４およびプラテンローラ４５間に挟持されているインクリボン４２およびラベル５０がプラテンローラ４５の回転により一体に搬送されている間に熱記録ヘッド２４の複数の記録素子２４Ａが音声情報に対応した選択的に駆動されて発熱することによりインクリボン４２のインクが部分的に溶融してラベル５０に転写される。このとき、本実施の形態においては、図１に示すように、ラベル５０上に音声情報に対応したドットコード１０が記録されるとともに、ドットコード１０の非形成領域であるラベル５０の両縁部５１，５１に帯状のスリップ防止用ドット１７，１７が記録される。このスリップ防止用ドット１７は、駆動される記録素子２４Ａの急増によるラベル５０とプラテンローラ４５との滑りを防止して、ラベル５０上の正規の位置にドットコード１０を記録するためのものである。
【００４７】
このため、前記スリップ防止用ドット１７は、図２に詳示するように、ドットコード１０の各ブロック１１内のデータドットパターン１３に対応する部位においては、それぞれ３ドットずつの記録素子２４Ａを駆動して千鳥状にパターンが形成されている。したがって、前記データドットパターン１３において駆動される記録素子２４Ａのドット数が急増しても、各回の記録ごとに各スリップ防止用ドット１７において３ドットで合計６ドットの記録素子２４Ａが余分に発熱するので、各スリップ防止用ドット１７のために駆動される記録素子２４Ａを付加することにより、全体的には駆動される記録素子２４Ａのドット数が急増するという現象が生じない。
【００４８】
また、各マーカ１４の中央部には、１対のマーカ１４，１４間に複数のドットが等間隔に整列されてなる前述したマッチングドットパターン１６が形成されており、各マーカ１４の記録と相俟って、多数の記録素子２４Ａが駆動されることになるので、このマッチングドットパターン１６を記録する際には、記録素子２４Ａの過熱を防止するため、スリップ防止用ドット１７は一切記録されずスリップ防止用ドット１７には記録素子の整列方向すなわちスリップ防止用ドット１７の幅方向に延在するスリット１８が形成されている。
【００４９】
さらに、スリップ防止用ドット１７の前記スリット１８の前後の記録の際には、スリップ防止用ドット１７に使用される６ドットの記録素子２４Ａのすべてが駆動されて、スリット１８と平行に位置する太線１９，１９がそれぞれ形成されることになる。これは、前記マッチングドットパターン１６の前後は、マーカ１７の記録に使用される記録素子２４Ａしか駆動されないため、駆動される記録素子２４Ａの数を補うためである。
【００５０】
前述したように、ドットコード１０を記録する際に同時に２本のスリップ防止用ドット１７，１７を記録するので、ドットコード１０とスリップ防止用ドット１７とで全体的に駆動される記録素子２４Ａの数の急増が回避され、この結果、ラベル５０の搬送量を常に均一にして、ラベル５０とプラテンローラ４５との滑りを防止することができる。よって、ラベル５０上へのドットコード１０のデータドットパターン１３を構成する各ドット１２は、イメージリーダのスキャンにより情報を正確に読み取られて再現できるようにラベル５０上の正規の位置に記録されることになる。
【００５１】
なお、本発明は、前述した実施の形態に限定されるものではなく、必要に応じて種々の変更が可能である。例えば、前述した実施の形態においては、スリップ防止用ドットを記録媒体であるラベルの両縁部にそれぞれ記録するように説明したが、ラベルの一方の縁部のみにスリップ防止用ドットを記録しても所期の効果を達成することができる。また、前述した実施の形態においては、テープ状の記録媒体を用いる記録装置について説明したが、一般的な熱転写プリンタを用いてシート状の記録媒体にコードイメージの印刷を行っても、同様の効果が得られるものである。
【００５２】
【発明の効果】
以上説明したように請求項１に係る本発明の記録媒体によれば、入力された情報を正確に記録して情報を正確に再現できる安定した読み取りが行われるようにコードイメージを形成できるし、また、本発明のコードイメージ記録方法によれば、このようなコードイメージの記録を行う良好に行うことができる。
【００５３】
すなわち、本発明のコードイメージを有する記録媒体は、複数の記録素子の配列方向においてコードイメージ記録領域に隣接する少なくとも何れか一方の側のコードイメージ非記録領域に、プラテンとの間のスリップを防止するためのスリップ防止用ドットを連続的に具備しているので、スリップ防止用ドットを記録する記録素子が駆動される結果、記録素子の駆動ドット数の急増が回避され、記録媒体の搬送量を常に均一にすることができ、よって、記録媒体上へのドットは情報を正確に再現できるように正規の位置に記録される。
【００５４】
また、スリップ防止用ドットが、同時に記録される記録媒体のコードイメージ中のドットの数に応じて設けられることにより、記録素子の駆動ドット数の急増を回避するようにスリップ防止用ドットを記録することができる。
【００５５】
さらに、記録媒体におけるコードイメージが、熱記録ヘッドにより同時に記録されるドット数を多く含んだドット過密部と、前記熱記録ヘッドにより同時に記録されるドット数を少なく含んだドット過疎部とが前記熱記録ヘッドの移動方向に連続して設けられた領域を具備しており、スリップ防止用ドットは熱記録ヘッドによりコードイメージと同時に記録されるものであって、前記ドット過密部対応領域を避けるようにして設けられることにより、スリップ防止用ドットを必要としない記録媒体上の部位にスリップ防止用ドットを記録しないようにして、記録素子の過熱を防止することができる。
【００５６】
さらにまた、記録媒体におけるコードイメージが、熱記録ヘッドにより同時に記録されるドット数を多く含んだドット過密部と、前記熱記録ヘッドにより同時に記録されるドット数を少なく含んだドット過疎部とが前記熱記録ヘッドの移動方向に連続して設けられた領域を具備しており、スリップ防止用ドットが、前記熱記録ヘッドにより前記コードイメージと同時に記録媒体に記録されるものであって、前記ドット過疎部対応領域に集中的に設けられることにより、スリップ防止用ドットを必要とする記録媒体上の部位にのみスリップ防止用ドットを記録することができる。
【００５７】
請求項５に係る本発明のコードイメージを有する記録媒体は、テープ記録媒体が、複数の記録素子の配列方向においてコードイメージ記録領域に隣接する少なくとも何れか一方の側のコードイメージ非記録領域に、プラテンローラとの間のスリップを防止するためのスリップ防止用ドットを連続的に具備しているので、スリップ防止用ドットを記録する記録素子が駆動される結果、記録素子の駆動ドット数の急増が回避され、記録媒体の搬送量を常に均一にすることができ、よって、テープ状記録媒体上へのドットは情報を正確に再現できるように正規の位置に記録される。
【００５８】
また、スリップ防止用ドットが、同時に記録されるテープ状記録媒体のコードイメージ中のドットの数に応じて設けられることにより、記録素子の駆動ドット数の急増を回避するようにスリップ防止用ドットを記録することができる。
【００５９】
さらに、テープ状記録媒体におけるコードイメージが、熱記録ヘッドにより同時に記録されるドット数を多く含んだドット過密部と、前記熱記録ヘッドにより同時に記録されるドット数を少なく含んだ過疎部とが前記長手方向に連続して設けられた領域を具備しており、スリップ防止用ドットが、熱記録ヘッドにより前記コードイメージと同時にテープ状記録媒体に記録されるものであって、前記ドット過密部対応領域を避けるようにすることにより、スリップ防止用ドットを必要としないテープ状記録媒体の部位にスリップ防止用ドットを記録しないようにして、記録素子の過熱を防止することができる。
【００６０】
さらにまた、テープ状記録媒体におけるコードイメージが、熱記録ヘッドにより同時に記録されるドット数を多く含んだドット過密部と、前記熱記録ヘッドにより同時に記録されるドット数を少なく含んだ過疎部とが前記長手方向に連続して設けられた領域を具備しており、スリップ防止用ドットが、前記熱記録ヘッドにより前記コードイメージと同時にテープ状記録媒体に記録されるものであって、前記ドット過疎部対応領域に集中的に設けらることにより、スリップ防止用ドットを必要とするテープ状記録媒体上の部位にのみスリップ防止用ドットを記録することができる。
【００６１】
請求項９に係る本発明のコードイメージ記録方法は、記録媒体上のドットコード非形成領域にスリップ防止用ドットを前記ドットコードと同時に記録したので、記録素子の駆動ドット数の急増が回避され、記録媒体の搬送量を常に均一にすることができる。
【００６２】
また、ドットコードの形成方向と直交する幅方向の１対の前記マーカ間に形成された所定のドットパターンを記録するときには前記スリップ防止用ドットの記録を行わないことにより、記録素子の駆動ドット数の多いドットパターンの記録時には記録素子の過熱を防止することができる。
【００６３】
さらに、同時に記録を行うマーカ間に記録のない空白部が形成されるときにスリップ防止用ドットを連続するように記録媒体に記録することにより、次位の記録時に記録素子の駆動ドット数の急増を確実に防止することができる。
【００６４】
請求項１２に係る本発明のコードイメージ記録方法は、熱記録ヘッドが、記録媒体の記録面の、複数の記録素子の配列方向においてコードイメージ記録領域に隣接する少なくとも何れか一方の側のコードイメージ非記録領域に、プラテンとの間のスリップを防止するためのスリップ防止用ドットを前記コードイメージの記録と同時に記録媒体に記録するので、スリップ防止用ドットを記録する記録素子が駆動される結果、記録素子の駆動ドット数の急増が回避され、記録媒体の搬送量を常に均一にすることができ、よって、記録媒体上へのドットは情報を正確に再現できるように正規の位置に記録される。
【００６５】
また、記録ヘッドが、同時に記録するコードイメージ中のドットの数に応じてスリップ防止用ドットを記録媒体に記録することにより、記録素子の駆動ドット数の急増を回避するようにスリップ防止用ドットを記録することができる。
【００６６】
さらに、コードイメージが、熱記録ヘッドにより同時に記録されるドット数を多く含んだドット過密部と、前記熱記録ヘッドにより同時に記録されるドット数を少なく含んだドット過疎部とが前記熱記録ヘッドの移動方向に連続して設けられた領域を具備しており、前記熱記録ヘッドが、前記ドット過密部対応領域を避けるようにしてスリップ防止用ドットを記録媒体に記録する点にある。そして、このような構成を採用したことにより、スリップ防止用ドットを必要としない記録媒体上の部位にスリップ防止用ドットを記録しないようにして、記録素子の過熱を防止することができる。
【００６７】
さらにまた、コードイメージが、熱記録ヘッドにより同時に記録されるドット数を多く含んだドット過密部と、熱記録ヘッドにより同時に記録されるドット数を少なく含んだドット過疎部とが前記熱記録ヘッドの移動方向に連続して設けられた領域を具備しており、前記熱記録ヘッドが、記録媒体のドット過疎部対応領域に前記スリップ防止用ドットを集中的に記録することにより、スリップ防止用ドットを必要とするテープ状記録媒体上の部位にのみスリップ防止用ドットを記録することができる。
【００６８】
請求項１６に係る本発明のコードイメージ記録方法は、熱記録ヘッドは、テープ状記録媒体の記録面の複数の記録素子の配列方向においてコードイメージ記録領域に隣接する少なくとも何れか一方の側のコードイメージ非記録領域に、プラテンローラとの間のスリップを防止するためのスリップ防止用ドットを前記コードイメージの記録と同時に記録媒体に記録するようにしたので、スリップ防止用ドットを記録する記録素子が駆動される結果、記録素子の駆動ドット数の急増が回避され、テープ状記録媒体の搬送量を常に均一にすることができ、よって、テープ状記録媒体上へのドットは情報を正確に再現できるように正規の位置に記録される。
【００６９】
また、熱記録ヘッドが、同時に記録する前記コードイメージ中のドットの数に応じて前記スリップ防止用ドットをテープ状記録媒体に記録することにより、記録素子の駆動ドット数の急増を回避するようにスリップ防止用ドットを記録することができる。
【００７０】
さらに、テープ状記録媒体におけるコードイメージが、熱記録ヘッドにより同時に記録されるドット数を多く含んだドット過密部と、前記熱記録ヘッドにより同時に記録されるドット数を少なく含んだドット過疎部とが前記長手方向に連続して設けられた領域を具備しており、前記熱記録ヘッドが、前記ドット過密部対応領域を避けるようにして前記スリップ防止用ドットをテープ状記録媒体に記録することにより、スリップ防止用ドットを必要としない記録媒体上の部位にスリップ防止用ドットを記録しないようにして、記録素子の過熱を防止することができる。
【００７１】
さらにまた、テープ状記録媒体におけるコードイメージが、熱記録ヘッドにより同時に記録されるドット数を多く含んだドット過密部と、前記熱記録ヘッドにより同時に記録されるドット数を少なく含んだドット過疎部とが前記長手方向に連続して設けられた領域を具備しており、前記熱記録ヘッドが、テープ状記録媒体のドット過疎部対応領域に前記スリップ防止用ドットを集中的に記録することにより、スリップ防止用ドットを必要とするテープ状記録媒体上の部位にのみスリップ防止用ドットを記録することができる。
【図面の簡単な説明】
【図１】本発明に係るコードイメージを有する記録媒体の実施の形態を示す拡大平面図
【図２】図１の要部のさらなる拡大図
【図３】本発明に係るコードイメージ記録方法を実施するためのコードイメージ記録装置の実施形態を示す斜視図
【図４】図３のコードイメージ記録装置に使用されるカートリッジを示す拡大平面図
【図５】従来のコードイメージを示す拡大平面図
【符号の説明】
１０  ドットコード
１１  ブロック
１２  ドット
１３  データドットパターン
１４  マーカ
１６  マッチングドットパターン
１７  スリップ防止用ドット
１８  スリット
１９  太線
２０  コードイメージ記録装置
２４  熱記録ヘッド
２４Ａ  記録素子
４０  カートリッジ
４５  プラテンローラ
５０  ラベル
【図１】
0003577519.tif 000002
【図２】
0003577519.tif 000003
【図３】
0003577519.tif 000004
【図４】
0003577519.tif 000005
【図５】
0003577519.tif 000006